(57)【特許請求の範囲】
【請求項１】
親機と子機とに分離され、分離状態にある前記親機と前記子機とが直接通信により無線接続される通信端末装置であって、
前記通信端末装置における電話の着信、電話の発信、または通話中を示す通話イベントを検出する検出部と、
前記親機と前記子機との分離状態を検出する分離検出部と、
前記親機と前記子機とが接合状態で、かつ前記検出部において前記通話イベントが検出された場合に、前記親機の直接通信部と前記子機の直接通信部との接続を開始し、該接続の開始後に、前記分離検出部において分離状態が検出された場合に、前記直接通信部を介した通信を開始する通信制御部と、
を備えることを特徴とする通信端末装置。
【請求項２】
親機と子機とに分離され、分離状態にある前記親機と前記子機とが直接通信により無線接続される通信端末装置であって、
前記通信端末装置における電話の着信、電話の発信、または通話中を示す通話イベントを検出する検出部と、
前記親機と前記子機とが接合状態で、かつ前記検出部において前記通話イベントが検出された場合に、前記親機の直接通信部と前記子機の直接通信部との接続を開始し、前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断する通信制御部と、
を備えることを特徴とする通信端末装置。
【請求項３】
親機と子機とに分離され、分離状態にある前記親機と前記子機とが直接通信により無線接続される通信端末装置であって、
前記通信端末装置における電話の着信、電話の発信、または通話中を示す通話イベントを検出する検出部と、
前記親機と前記子機とが接合状態で、かつ前記検出部において前記通話イベントが検出された場合に、前記親機の直接通信部と前記子機の直接通信部との接続を開始し、前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断する通信制御部と、
を備えることを特徴とする通信端末装置。
【請求項４】
前記親機は無線基地局との通信機能を制御する外部通信制御部を有し、
前記子機はユーザからの操作を受付けるユーザインターフェイス部を有することを特徴とする請求項１、請求項２又は請求項３に記載の通信端末装置。
【請求項５】
親機と子機とに分離され、分離状態にある前記親機と前記子機とが直接通信により無線接続される通信端末装置によって実行される通信制御方法であって、
前記通信端末装置における電話の着信、電話の発信、又は通話中を示す通話イベントを検出するステップと、
前記親機と前記子機との分離状態を検出するステップと、
前記親機と前記子機とが接合状態で、かつ検出部において前記通話イベントが検出された場合に、前記親機の直接通信部と前記子機の直接通信部との接続を開始するステップと、
該接続の開始後に、前記親機と前記子機との分離状態が検出された場合に、前記直接通信部を介した通信を開始するステップと、
を含むことを特徴とする通信制御方法。
【請求項６】
親機と子機とに分離され、分離状態にある前記親機と前記子機とが直接通信により無線接続される通信端末装置によって実行される通信制御方法であって、
前記通信端末装置における電話の着信、電話の発信、または通話中を示す通話イベントを検出するステップと、
前記親機と前記子機とが接合状態で、かつ検出部において前記通話イベントが検出された場合に、前記親機の直接通信部と前記子機の直接通信部との接続を開始するステップと、
前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断するステップと、
を含むことを特徴とする通信制御方法。
【請求項７】
親機と子機とに分離され、分離状態にある前記親機と前記子機とが直接通信により無線接続される通信端末装置によって実行される通信制御方法であって、
前記通信端末装置における電話の着信、電話の発信、または通話中を示す通話イベントを検出するステップと、
前記親機と前記子機とが接合状態で、かつ検出部において前記通話イベントが検出された場合に、前記親機の直接通信部と前記子機の直接通信部との接続を開始するステップと、
前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断するステップと、
を含むことを特徴とする通信制御方法。
【請求項８】
親機と子機とに分離され、分離状態にある前記親機と前記子機とが直接通信により無線接続される通信端末装置に実行させる通信制御プログラムであって、
前記通信端末装置における電話の着信、電話の発信、又は通話中を示す通話イベントを検出する機能と、
前記親機と前記子機との分離状態を検出する機能と、
前記親機と前記子機とが接合状態で、かつ検出部において前記通話イベントが検出された場合に、前記親機の直接通信部と前記子機の直接通信部との接続を開始する機能と、
該接続の開始後に、前記親機と前記子機との分離状態が検出された場合に、前記直接通信部を介した通信を開始する機能と、
を前記通信端末装置に実行させることを特徴とする通信制御プログラム。
【請求項９】
親機と子機とに分離され、分離状態にある前記親機と前記子機とが直接通信により無線接続される通信端末装置に実行させる通信制御プログラムであって、
前記通信端末装置における電話の着信、電話の発信、または通話中を示す通話イベントを検出する機能と、
前記親機と前記子機とが接合状態で、かつ検出部において前記通話イベントが検出された場合に、前記親機の直接通信部と前記子機の直接通信部との接続を開始する機能と、
前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断する機能と、
を前記通信端末装置に実行させることを特徴とする通信制御プログラム。
【請求項１０】
親機と子機とに分離され、分離状態にある前記親機と前記子機とが直接通信により無線接続される通信端末装置に実行させる通信制御プログラムであって、
前記通信端末装置における電話の着信、電話の発信、または通話中を示す通話イベントを検出する機能と、
前記親機と前記子機とが接合状態で、かつ検出部において前記通話イベントが検出された場合に、前記親機の直接通信部と前記子機の直接通信部との接続を開始する機能と、
前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断する機能と、
を前記通信端末装置に実行させることを特徴とする通信制御プログラム。
【発明の詳細な説明】
【技術分野】
【０００１】
本発明は、分離型携帯電話機等、親子機に分離可能な通信端末装置の通信制御に関し、例えば、親機又は子機の操作から予測して親子機間の通信接続を行う通信端末装置、通信制御方法及び通信制御プログラムに関する。
【背景技術】
【０００２】
セパレート型携帯電話機等の通信端末装置では、親機と子機とに分離され、親機には主として外部通信機能、子機には主として操作機能を割り当てられている。分離状態では近距離通信機能で両者を無線接続し、接合状態では有線接続することが知られている。このような通信端末装置にあっては、親機又は子機を独立して使用し、必要に応じて接合する等、利便性の高い操作が可能である。
【０００３】
このような親機と子機とに分離される電話機にあっては、子機が親機に対し制御チャネル変更コマンドを送出し、親機から制御チャネル変更コマンドを受信すると、制御チャネルの変更とともに事前に通話状態へ移行することが知られている（特許文献１）。
【先行技術文献】
【特許文献】
【０００４】
【特許文献１】特開２００６−６７１３１号公報
【発明の概要】
【発明が解決しようとする課題】
【０００５】
ところで、このような通信端末装置にあっては、親機と子機とを接合状態から分離状態に移行させ、また、分離状態から接合状態に移行させて利用することができる。親機と子機とを接合状態から分離状態に移行すると、親子機間は無線接続に移行することになる。この無線接続には例えば、Bluetooth 通信技術等の近距離通信技術が用いられる。
【０００６】
親機と子機とを接合状態から分離状態に移行させた場合、無線接続には立ち上がり時間を要する。例えば、Bluetooth 通信技術では、その開始時点から通信の確立までに数秒程度の待機時間が必要である。即ち、分離直後では、通話や、キー入力等ができないため、電話機の利便性が損なわれるという課題がある。
【０００７】
そこで、本開示の通信端末装置、通信制御方法又は通信制御プログラムの目的は、親機及び子機の分離又は接合維持を予測し、操作の利便性を高めることにある。
【０００８】
また、本開示の通信端末装置、通信制御方法又は通信制御プログラムの他の目的は、省電力化を高めることにある。
【課題を解決するための手段】
【０００９】
上記目的を達成するため、本開示の通信端末装置は、親機と子機とに分離され、分離状態にある前記親機と前記子機とが直接通信により無線接続される通信端末装置であって、検出部と、分離検出部と、通信制御部とを備える。前記検出部は、前記通信端末装置における電話の着信、電話の発信、又は通話中を示す通話イベントを検出する。前記分離検出部は、前記親機と前記子機との分離状態を検出する。前記通信制御部は、前記親機と前記子機とが接合状態で、かつ前記検出部において前記通話イベントが検出された場合に、前記親機の直接通信部と前記子機の直接通信部との接続を開始し、該接続の開始後に、前記分離検出部において分離状態が検出された場合に、前記直接通信部を介した通信を開始する。
本開示の通信端末装置は、親機と子機とに分離され、分離状態にある前記親機と前記子機とが直接通信により無線接続される通信端末装置であって、検出部と、通信制御部とを備える。前記検出部は、前記通信端末装置における電話の着信、電話の発信、または通話中を示す通話イベントを検出する。前記通信制御部は、前記親機と前記子機とが接合状態で、かつ前記検出部において前記通話イベントが検出された場合に、前記親機の直接通信部と前記子機の直接通信部との接続を開始し、前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断する。
本開示の通信端末装置は、親機と子機とに分離され、分離状態にある前記親機と前記子機とが直接通信により無線接続される通信端末装置であって、検出部と、通信制御部とを備える。前記検出部は、前記通信端末装置における電話の着信、電話の発信、または通話中を示す通話イベントを検出する。前記通信制御部は、前記親機と前記子機とが接合状態で、かつ前記検出部において前記通話イベントが検出された場合に、前記親機の直接通信部と前記子機の直接通信部との接続を開始し、前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断する。
【００１０】
上記目的を達成するため、本開示の通信制御方法は、上記通信端末装置によって実行される通信制御方法であって、検出ステップと、分離検出ステップと、通信制御ステップとを含んでいる。前記検出ステップは、通信端末装置における電話の着信、電話の発信、又は通話中を示す通話イベントを検出する。前記分離検出ステップは、親機と子機との分離状態を検出する。前記通信制御ステップは、前記親機と前記子機とが接合状態で、かつ前記検出部において前記通話イベントが検出された場合に、前記親機の直接通信部と前記子機の直接通信部との接続を開始し、接続の開始後に、前記親機と前記子機との分離状態が検出された場合に、前記直接通信部を介した通信を開始する。
上記目的を達成するため、本開示の通信制御方法は、上記通信端末装置によって実行される通信制御方法であって、検出ステップと、通信制御ステップとを含んでいる。前記検出ステップは、通信端末装置における電話の着信、電話の発信、または通話中を示す通話イベントを検出する。前記通信制御ステップは、前記親機と前記子機とが接合状態で、かつ検出部において前記通話イベントが検出された場合に、前記親機の直接通信部と前記子機の直接通信部との接続を開始し、前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断する。
上記目的を達成するため、本開示の通信制御方法は、上記通信端末装置によって実行される通信制御方法であって、検出ステップと、通信制御ステップとを含んでいる。前記検出ステップは、通信端末装置における電話の着信、電話の発信、または通話中を示す通話イベントを検出する。前記通信制御ステップは、前記親機と前記子機とが接合状態で、かつ検出部において前記通話イベントが検出された場合に、前記親機の直接通信部と前記子機の直接通信部との接続を開始し、前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断する。
【００１１】
上記目的を達成するため、本開示の通信制御プログラムは、上記通信端末装置に実行させる通信制御プログラムであって、検出機能と、分離検出機能と、通信制御機能とを含んでいる。前記検出機能は、通信端末装置における電話の着信、電話の発信、又は通話中を示す通話イベントを検出する。前記分離検出機能は、親機と子機との分離状態を検出する。前記通信制御機能は、前記親機と前記子機とが接合状態で、かつ前記検出部において前記通話イベントが検出された場合に、前記親機の直接通信部と前記子機の直接通信部との接続を開始し、該接続の開始後に、前記親機と前記子機との分離状態が検出された場合に、前記直接通信部を介した通信を開始する。
上記目的を達成するため、本開示の通信制御プログラムは、上記通信端末装置に実行させる通信制御プログラムであって、検出機能と、通信制御機能とを含んでいる。前記検出機能は、通信端末装置における電話の着信、電話の発信、または通話中を示す通話イベントを検出する。前記通信制御機能は、前記親機と前記子機とが接合状態で、かつ検出部において前記通話イベントが検出された場合に、前記親機の直接通信部と前記子機の直接通信部との接続を開始し、前記親機と前記子機とが分離状態から接合状態に移行したことを検出した場合、その移行時点から所定時間が経過するまで、前記親機の直接通信部と前記子機の直接通信部との接続を継続させ、前記所定時間の経過後、前記親機の直接通信部と前記子機の直接通信部との接続を切断する。
上記目的を達成するため、本開示の通信制御プログラムは、上記通信端末装置に実行させる通信制御プログラムであって、検出機能と、通信制御機能とを含んでいる。前記検出機能は、通信端末装置における電話の着信、電話の発信、または通話中を示す通話イベントを検出する。前記通信制御機能は、前記親機と前記子機とが接合状態で、かつ検出部において前記通話イベントが検出された場合に、前記親機の直接通信部と前記子機の直接通信部との接続を開始し、前記検出部の前記通話イベントの終了検知から所定時間が経過するまで、前記親機の直接通信部と前記子機の直接通信部との接続を継続させ、前記所定時間の経過後、前記親機の直接通信部と前記子機の直接通信部との接続を切断する。
【発明の効果】
【００１２】
本開示の通信端末装置、通信制御方法又は通信制御プログラムによれば、次のような効果が得られる。
【００１３】
(1) ユーザ操作から親子機間の分離又は接合を予測し、近距離通信により無線接続し、又はその無線接続を解除するので、ユーザ操作の利便性が高められる。
【００１４】
(2) また、所定時間だけ近距離通信により無線接続を維持し、所定時間後にその無線接続を解除するので、省電力化が高められ、電源にバッテリを用いた場合にその消耗を抑制でき、発熱を抑制できる。
【００１５】
そして、本発明の他の目的、特徴及び利点は、添付図面及び各実施の形態を参照することにより、一層明確になるであろう。
【図面の簡単な説明】
【００１６】
【図１】第１の実施の形態に係る通信端末装置の機能部の一例を示す図である。
【図２】通信制御の処理手順の一例を示すフローチャートである。
【図３】他の通信制御の処理手順を示すフローチャートである。
【図４】第２の実施の形態に係るセパレート型携帯電話機の接合及び分離を示す図である。
【図５】セパレート型携帯電話機の無線接続を示す図である。
【図６】セパレート型携帯電話機の親機の機能部を示す図である。
【図７】セパレート型携帯電話機の子機の機能部を示す図である。
【図８】セパレート型携帯電話機のハードウェアの構成例を示す図である。
【図９】セパレート型携帯電話機の一例を示す図である。
【図１０】子機側をスライドさせたセパレート型携帯電話機を示す図である。
【図１１】子機側をスライドさせて裏面側から見たセパレート型携帯電話機を示す図である。
【図１２】子機側をスライドさせて側面側から見たセパレート型携帯電話機を示す図である。
【図１３】分離状態の親機及び子機を示す図である。
【図１４】分離状態の親機を裏面側から見て示した図である。
【図１５】子機側のスライド筐体部をスライドさせて上面側から見た子機を示す図である。
【図１６】子機側のスライド筐体部をスライドさせて側面側から見た子機を示す図である。
【図１７】親子機間接点のピンアサインを示す図である。
【図１８】第２の実施の形態に係る通信制御の処理手順を示すフローチャートである。
【図１９】通信制御の処理手順を示すフローチャートである。
【図２０】第３の実施の形態に係る通信制御の処理手順を示すフローチャートである。
【図２１】他の実施の形態に係る携帯情報端末機を示す図である。
【図２２】他の実施の形態に係るセパレート型電話機を示す図である。
【発明を実施するための形態】
【００１７】
〔第１の実施の形態〕
【００１８】
第１の実施の形態は、分離状態にある親機と子機とが近距離通信機能等の、無線基地局を介さない直接通信により無線接続される通信端末装置である。なお、以降の他の実施の形態においても、分離状態における親機と子機とは、本実施の形態と同様に直接通信により無線接続されるものとする。この通信端末装置は、接合中の親機又は子機に対するユーザ操作を検出し、親子機間の分離を予測してBluetooth 通信を確立させ、分離後に直ちに必要な機能を実行可能にして操作の利便性を図っている。また、通信接続の後、所定時間が経過するまで、その接続を維持し、所定時間経過後に無線接続を自動切断することにより、省電力化を図っている。
【００１９】
この第１の実施の形態について、図１を参照する。図１は、通信端末装置の一例を示す図である。図１に示す構成は一例であって、斯かる構成に本発明は限定されない。
【００２０】
この通信端末装置２は、本開示の通信端末装置の一例であって、図１に示すように、親機２１と子機２２とに着脱可能に分離される。分離状態では、親機２１と子機２２とが近距離無線通信として例えば、Bluetooth 通信機能により無線接続が可能であり、接合状態では、親機２１と子機２２とが有線接続される。なお、本明細書の各実施の形態における" 有線接続" とは、端子間接続等の物理的に親機と子機とが接続されている形態の接続を意味し、無線接続以外のこれらの接続を説明の便宜上" 有線接続" というものとする。
【００２１】
この実施の形態では、親機２１には主として通信ネットワークを介して通信する通信機能や、表示機能等が割り当てられ、また、子機２２には主として通話機能や、キー操作機能等が割り当てられている。即ち、親機２１は無線通信部であり、子機２２はユーザインターフェイス部を構成し、これらが分離可能に構成されている。
【００２２】
この実施の形態では、親機２１は状態検出部４と、イベント検出部６と、通信制御部８とを備え、子機２２は通信制御部１０を備えている。なお、状態検出部４とイベント検出部６は、子機２２に備えるように構成してもよい。
【００２３】
状態検出部４は、親機２１と子機２２とが分離状態か接合状態かを検出する機能部の一例である。状態検出は、例えば、親機２１及び子機２２の接続端子間の接続状態を電気的に検出し、その検出信号により接合か分離かを判断すればよい。
【００２４】
イベント検出部６は、イベント発生の検知手段の一例であって、例えば、接合状態にある親機２１と子機２２の何れか一方又は双方に対し、所定のイベントが発生したことを検出する。この所定のイベントとは、例えば電話の着信／発信又は通話中を表すイベントであって、そのイベントが発生した場合に、ユーザが親機２１と子機２２とを分離する可能性のあるイベントをいう。例えば、通話中に、ユーザが過去のメールや電話帳を参照したいという理由で、親機２１と子機２２とを分離し、親機２１を手に持ちながら子機２２で通話を行うことが考えられるため、このようなイベントが発生した場合に、メールや電話帳の参照要求に先立って無線接続を開始する。これらのイベントは、そのイベントの発生を監視又は検出する手段を備えることにより検出できるが、これらのイベントに対応する機能部が停止状態又は待機状態から活性状態に移行したかを検出し、イベント発生の検出としてもよい。
【００２５】
なお、ここでいう着信／発信を表すイベントは、ユーザによる発信ボタンや受信ボタンの押下といったユーザ操作のみならず、無線基地局との無線パスの設定や通話開始の検出等、着信／発信に係る種々のイベントを含む。また、以降の説明では、説明の便宜上、これらのイベントのうち、ユーザ操作を検出する場合を主に説明するものとする。
【００２６】
通信制御部８は、親機２１側に搭載され、親機２１と子機２２とが接合状態で、ユーザ操作が検出された場合に親機２１と子機２２との分離を予測する予測機能を備える。そこで、この通信制御部８は、この予測機能によって親機２１と子機２２との分離を予測した場合、親機２１と子機２２との間に近距離通信機能して例えばBluetooth 通信により、無線接続を確立させる機能部である。また、通信制御部１０は、子機２２側に搭載され、例えば、Bluetooth 通信により、親機２１との無線接続を行う機能部である。この場合、親機２１側から子機２２に対して無線接続を開始してもよく、子機２２側から親機２１に対して無線接続を開始してもよい。
【００２７】
次に、通信制御の処理手順について、図２を参照する。図２は、通信制御の処理手順の一例を示すフローチャートである。
【００２８】
この処理手順は、本開示の通信制御方法又は通信制御プログラムの一例である。この処理手順には、図２に示すように、状態検出又は状態判定機能（ステップＳ１１）と、操作検出機能（ステップＳ１２）と、通信制御機能（ステップＳ１３）とが含まれる。操作検出機能（ステップＳ１２）がユーザ操作の予測機能である。
【００２９】
この処理手順では、図２に示すように、接合して通話状態から分離されることを予測し、親機２１と子機２２とが分離状態かを検出し（ステップＳ１１）、分離状態か接合状態かを判断する。このステップＳ１１では、親機２１と子機２２とが接合状態にあるか、分離状態にあるかを電気的に検出し、その検出に基づき接合状態であるか分離状態であるかを判定する。
【００３０】
親機２１と子機２２が接合されていなければ（ステップＳ１１のＹＥＳ）、接合状態への移行を継続的に監視し、親機２１と子機２２が接合されていれば（ステップＳ１１のＮＯ）、所定のユーザ操作の発生を継続的に検出する（ステップＳ１２）。
【００３１】
そして、所定のユーザ操作があれば（ステップＳ１２のＹＥＳ）、親機２１と子機２２との無線接続を確立させる（ステップＳ１３）。この無線接続は、近距離通信による無線接続であり、例えば、Bluetooth 通信による無線接続である。
【００３２】
斯かる処理手順によれば、ユーザ操作から、親子機間の分離を予測してBluetooth 通信を確立させ、分離後に直ちに無線接続を媒介とする機能を実行可能にできる。
【００３３】
次に、他の通信制御の処理手順について、図３を参照する。図３は、他の通信制御の処理手順を示すフローチャートである。
【００３４】
この処理手順は、本開示の通信制御方法又は通信制御プログラムの一例である。この処理手順には、図３に示すように、無線接続の判定機能（ステップＳ２１）と、操作検出機能（ステップＳ２２）と、時間検出機能（ステップＳ２３）と、通信制御機能（ステップＳ２４）とが含まれる。
【００３５】
この処理手順では、図３に示すように、親機２１と子機２２とが無線接続かを検出し（ステップＳ２１）、無線接続の状態にあるかを監視する。
【００３６】
親機２１と子機２２が有線接続されていれば（ステップＳ２１のＮＯ）、ユーザ操作を検出する（ステップＳ２２）。ユーザ操作は既述の通りである。
【００３７】
そして、ユーザ操作が終了し（ステップＳ２２のＮＯ）、その操作終了から所定時間が経過したかを判定する（ステップＳ２３）。ユーザ操作及びその終了を監視し、ユーザ操作の終了から所定時間が経過すれば（ステップＳ２３のＹＥＳ）、無線接続を切断（又は終了）させる（ステップＳ２４）。なお、上述の説明では、ユーザ操作の終了からの時間経過を監視する例を説明したが、親機２１と子機２２の有線接続の検出からの時間経過を監視するようにしてもよい。
【００３８】
斯かる制御によれば、例えば通信接続の後、所定時間が経過するまで、その接続を維持し、所定時間経過後に無線接続を自動切断することにより、省電力化を図ることができる。また例えば、無線接続から有線接続に移行した場合に、再度分離して無線接続を再開しても、通信接続が維持される。
【００３９】
以上述べた第１の実施の形態によれば、親機と子機とが接合状態にある場合、ユーザ操作から親機と子機との分離を予測し、分離前に近距離通信を確立させることができるので、分離後に近距離通信を確立させるための時間的ロスを削減できる。分離前に近距離による無線接続を確立させるので、分離後に接続操作を伴うことなく直ちに接続中の無線接続を活用でき、ユーザ操作の利便性が高められる。また、無線接続を開始しても、所定時間内にユーザ操作がなければ、無線接続を終了させるので、省電力化が図られ、電源に用いられるバッテリの消耗を抑制できる。さらに、有線接続に移行してから無線接続を再開する場合でも、操作可能になるまで時間を要さず、利便性が高められる。
【００４０】
〔第２の実施の形態〕
【００４１】
第２の実施の形態は、本開示の通信端末装置の一例として、分離状態にある親機と子機とが近距離通信機能により無線接続されるセパレート型携帯電話機の無線制御である。
【００４２】
この第２の実施の形態について、図４及び図５を参照する。図４は、第２の実施の形態に係るセパレート型携帯電話機の親子機間の接合及び分離を示す図、図５は、親子機間のBluetooth 通信による無線接続を示す図である。
【００４３】
セパレート型携帯電話機２０は、本開示の通信端末装置の一例であって、図４に示すように、接合又は分離することが可能な親機２０１と子機２０２とを備える。接合状態では、親機２０１と子機２０２とが有線接続される。
【００４４】
親機２０１には、通信機能として無線基地局を介する通信例えば、移動通信網と通信する無線通信機能、表示機能、無線基地局を介さない直接に子機２０２と通信する近距離通信機能として例えば、Bluetooth 通信機能を備え、子機２０２と無線接続されて親機２０１を介して移動通信網との通信が可能である。親機２０１及び子機２０２には、それぞれに通話機能を搭載し、何れでも通話が可能である。また、分離した親機２０１と子機２０２とを用いて通話や操作を可能にするため、近距離通信技術である無線ＬＡＮ（Local Area Network）やBluetooth 通信を利用できる。
【００４５】
そして、親機２０１と子機２０２との分離状態では、図５に示すように、近距離通信として例えば、Bluetooth 通信機能により無線接続される。このBluetooth 通信では、ＨＩＤ（Human Interface Device Profile）制御、ＨＦＰ（Hands-Free Profile）制御等の通信制御方式が規格化されて搭載されている。ＨＩＤ制御は、キーボード制御等の入力制御に用いられ、また、ＨＦＰ制御は、通話制御や音声制御に用いられる。
【００４６】
次に、このセパレート型携帯電話機の機能について、図６及び図７を参照する。図６は、セパレート型携帯電話機の親機側の機能部の一例を示す図、図７は、その子機側の機能部の一例を示す図である。
【００４７】
このセパレート型携帯電話機２０は、親機２０１でセパレート型携帯電話機２０の主として外部通信機能、表示機能等を実行し、子機２０２でセパレート型携帯電話機２０の主として親機２０１との通信機能、通話機能等を実行する。
【００４８】
そこで、親機２０１は、図６に示すように、外部通信制御部３０と、接合・分離確認部３２と、表示制御部３４と、記憶制御部３６と、電源制御部３８と、時間制御部４０と、入力制御部４１と、親子通信制御部４２と、Bluetooth 通信制御部４４と、有線通信制御部４６と、その他の機能として通話制御部等を備えている。これらの機能は親機２０１に搭載されているコンピュータ（プロセッサ７０：図８）によって生成され実行される。
【００４９】
外部通信制御部３０は、外部の通信ネットワーク４８と無線により接続し、通話やデータ通信の制御を行う。通信ネットワーク４８には親機２０１が無線により基地局やサーバが接続されている。
【００５０】
接合・分離確認部３２は、親機２０１が子機２０２に接合されているか又は分離されているかを確認する機能部である。親機２０１に子機２０２が接合されているか又は分離されているかの判断は、親機２０１と子機２０２との電気的な結合状態の有無によって行えばよい。
【００５１】
表示制御部３４は、情報表示を制御する機能部の一例であって、表示部７６（図８）の表示制御の機能を含む。
【００５２】
記憶制御部３６はデータ保持や保存を制御する機能であって、記憶手段に対するデータの書き込み又は読出しを制御する機能部である。この記憶機能部３６には、親機２０１のソフトウェアや、通信制御情報、通信情報（接続設定情報）、ユーザ操作情報等の格納や書換え等の制御が含まれる。
【００５３】
電源制御部３８は、電源スイッチ部８７（図８）のオン、オフを認識し、親機２０１側の機能部に対する電源の通電を制御する機能部である。親機２０１に子機２０２が接合されている場合には子機２０２側の通電制御を含んでもよい。
【００５４】
時間制御部４０は、計時制御手段の一例であって、接合時点から所定時間だけ無線接続を継続する場合等、所定時点から一定時間の計時等に用いられる。
【００５５】
入力制御部４１は、親機２０１側でユーザ操作を監視する操作監視部の一例であって、ユーザから付与される各種入力情報を取り込む機能部である。この入力制御部４１は、例えば、既述の操作検出部６を構成しており、親機２０１又は子機２０２に対するユーザ操作を検出しており、例えば、既述のイベント検出部の一例である。
【００５６】
親子通信制御部４２は、親機２０１側で親子機間の通信形態を制御する制御機能部であって、親子機間が接合状態であれば有線接続とし、親子機間が分離状態であれば無線接続とする。この親子通信制御部４２は、例えば、既述の通信制御部８を構成し、接合状態及びイベント検出により親機２０１と子機２０２との分離予測による無線接続の確立処理を行う。
【００５７】
Bluetooth 通信制御部４４は、子機２０２との直接通信を行う直接通信制御部の一例であって、電波等の無線媒体で接続する機能部であり、この場合、Bluetooth 通信を用いればよい。また、有線通信制御部４６は、親子機間の接合（結合）によって有線接続し、例えば、シリアル通信を行う。
【００５８】
また、子機２０２は、図７に示すように、電源制御部５０と、接合・分離確認部５２と、記憶制御部５４と、入力制御部５５と、親子通信制御部５６と、Bluetooth 通信制御部５８と、有線通信制御部６０とを備え、その他通話制御部を備えている。これらの機能は子機２０２に搭載されているコンピュータ（プロセッサ１００：図８）によって生成され実行される。
【００５９】
電源制御部５０は、電源スイッチ部１１５（図８）のオン、オフを認識し、子機２０２側の機能部に対する電源の通電を制御する機能部である。子機２０２が親機２０１に接合されている場合には親機２０１側の通電制御を含んでもよい。
【００６０】
接合・分離確認部５２は、子機２０２が親機２０１に接合又は分離されているかを確認する機能部である。親機２０１に子機２０２が接合又は分離されているかの判断は、既述のように、親機２０１と子機２０２との電気的な結合状態の有無によって行えばよい。
【００６１】
記憶制御部５４はデータ保持手段の一例であって、親機２０１から提供されたソフトウェアやその版数データを記憶させる制御機能部である。
【００６２】
入力制御部５５は、子機２０２側でユーザ操作を監視する操作監視部の一例であって、ユーザから付与される各種入力情報を取り込む機能部であり、これは既述のイベント検出部の一例である。
【００６３】
親子通信制御部５６は、子機２０２側で親子機間の通信形態を制御する制御機能部であって、親子機間が接合状態であれば有線接続とし、親子機間が分離状態であれば無線接続とする。この親子通信制御部５６は、例えば、既述の通信制御部１０を構成する。そして、既述のように、接合状態及びイベント検出により親機２０１と子機２０２との分離予測による無線接続の確立処理を行ってもよい。
【００６４】
Bluetooth 通信制御部５８は、親機２０１との直接通信であるBluetooth 通信を制御する機能部である。また、有線通信制御部６０、既述のように、親子機間の接合によって接続する。
【００６５】
次に、セパレート型携帯電話機２０のハードウェアについて、図８を参照する。図８は、セパレート型携帯電話機のハードウェアの一例を示す図である。
【００６６】
このセパレート型携帯電話機２０は親機２０１と子機２０２とを着脱可能に備え、既述の各機能を実現するためのハードウェア構成を備えている。そこで、親機２０１は、図８に示すように、プロセッサ７０と、無線通信部７２と、記憶部７４と、表示部７６と、タッチパネル部７８と、音声入出力部８０と、Bluetooth 通信部８２と、有線通信部８４と、接合・分離検出部８６と、電源スイッチ部８７と、タイマー部８９とを備える。
【００６７】
プロセッサ７０は、記憶部７４にあるプログラムを実行することにより、既述の機能部（図６）を生成させ、各機能を実行する。このプロセッサ７０は例えば、ＣＰＵ（Central Processing Unit ）で構成すればよい。
【００６８】
無線通信部７２は、アンテナ８８を備え、プロセッサ７０の制御により基地局を介して既述の通信ネットワーク４８と無線通信により、通話やデータ通信を行う。この無線通信部７２は例えば、高域符号分割多元接続〔Ｗ−ＣＤＭＡ（Wideband Code Division Multiple Access）〕無線通信部で構成される。
【００６９】
記憶部７４は、プロセッサ７０の制御により、プログラム等の各種のデータを記憶し、保持する記憶手段であって、プログラム記憶部９０と、データ記憶部９２と、ＲＡＭ（Random-Access Memory）９４とを備える。プログラム記憶部９０は、記録媒体で構成され、ＯＳ（Operating System）、ファームウェアプログラム、アプリケーションプログラム、通信制御プログラム等を格納する。データ記憶部９２は、データの記憶手段であって、通電を解除しても記憶内容を保持できるメモリである不揮発性メモリで構成される。このデータ記憶部９２には、親機２０１及び子機２０２側のソフトウェア等が保存される。ＲＡＭ９４は、親機２０１や子機２０２の通信制御等の各種データ処理を実行するためのワークエリアを構成する。
【００７０】
表示部７６は、メッセージ出力部、情報提示手段の一例であって、例えば、ＬＣＤ（Liquid Crystal Display）表示器で構成される。この表示部７６は、プロセッサ７０の制御により、子機２０２との接続を促すメッセージ表示等の各種の表示をする。
【００７１】
タッチパネル部７８は、表示部７６に積層されて設置された入力手段の一例であって、プロセッサ７０の制御により、表示部７６の表示に応じてユーザの指やスタイラス（Stylus）ペンの接触や押圧により、指示やデータ入力を行うことができる。
【００７２】
音声入出力部８０は、音声の入力手段や出力手段の一例であって、マイクロフォン９６及びレシーバ９８を備える。この音声入出力部８０は、プロセッサ７０の制御により、マイクロフォン９６に入力された音声を電気信号に変換してプロセッサ７０に入力し、プロセッサ７０の音声出力信号をレシーバ９８で音声に再生する。
【００７３】
Bluetooth 通信部８２は、プロセッサ７０の制御により、子機２０２との間で無線による直接通信で接続する無線接続手段であって、例えば、Bluetooth 通信により通信接続を行う。このBluetooth 通信部８２は、親機２０１から子機２０２が分離されている場合、無線接続を行う。
【００７４】
有線通信部８４は、プロセッサ７０の制御により、子機２０２を接合した際に有線接続する有線接続手段であって、例えば、ＵＡＲＴ（Universal Asynchronous Receiver Transmitter ）接続により有線接続を行う。この有線通信部８４は、子機２０２と端子間接合した場合、有線接続を行う。
【００７５】
接合・分離検出部８６は、親機２０１側にあって、親機２０１に子機２０２が接合されているか、親機２０１から子機２０２が分離されているかを検出する手段の一例であり、例えば、接合・分離検出デバイスで構成される。この接合又は分離は、例えば、端子間接合の有無を電位によって検出すればよい。この場合、接合・分離検出部８６に親機２０１と子機２０２との分離状態が検出された場合、Bluetooth 通信部８２の無線接続の契機となる。また、接合・分離検出部８６に親機２０１と子機２０２との接合状態が検出された場合、有線通信部８４の有線接続の契機となる。
【００７６】
電源スイッチ部８７は親機２０１の通電開始手段の一例であり、駆動開始等に用いられる。
【００７７】
タイマー部８９は、計時手段の一例であって、プロセッサ７０の制御により、既述の所定時点から一定時間の計時等に用いられる。このタイマー部８９は例えば、親機２０１と子機２０２とが分離状態から接合状態に移行したことが検出された場合、その移行時点から所定時間が経過するまでを計時し、その経過時点を表す出力を発生する。
【００７８】
次に、子機２０２は、プロセッサ１００と、記憶部１０２と、キーパッド部１０４、１０６と、音声入出力部１０８と、Bluetooth 通信部１１０と、有線通信部１１２と、接合・分離検出部１１４と、電源スイッチ部１１５とを備える。
【００７９】
プロセッサ１００は記憶部１０２にあるプログラムを実行することにより、既述の機能部（図７）を生成させ、各機能を実行する。このプロセッサ１００は親機２０１側と同様に例えば、ＣＰＵで構成すればよい。
【００８０】
記憶部１０２は、プロセッサ１００の制御により、プログラム等の各種のデータを記憶し、保持する記憶手段であって、プログラム記憶部１１６と、データ記憶部１１８と、ＲＡＭ１２０とを備える。プログラム記憶部１１６は、記録媒体で構成され、ＯＳ、ファームウェアプログラム、アプリケーションプログラム、通信制御プログラム等を格納する。データ記憶部１１８は、データの記憶手段であって、通電を解除しても記憶内容を保持できるメモリである不揮発性メモリで構成される。このデータ記憶部１１８には、子機２０２側のソフトウェアの版数データ等が格納される。ＲＡＭ１２０は、子機２０２側の通信制御等の各種データ処理を実行するためのワークエリアを構成する。
【００８１】
キーパッド部１０４は、第１のキー入力部であって、子機２０２の固定筐体部１３０（図１０、図１５）側に設置され、記号キー、カーソルキー、決定キー等が備えられている。また、キーパッド部１０６は、第２のキー入力部であって、親機２０１から子機２０２が分離した際に、子機２０２側にあるスライド筐体部１３２（図１３、図１５）に設置され、キーパッド部１０４に積層されてキー入力に用いられる。
【００８２】
音声入出力部１０８は、音声の入力手段や出力手段の一例であって、マイクロフォン１２２及びレシーバ１２４を備える。子機２０２が親機２０１から分離された際、この音声入出力部１０８は、プロセッサ１００の制御により、マイクロフォン１２２に入力された音声を電気信号に変換してプロセッサ１００に入力し、プロセッサ１００の音声出力信号をレシーバ１２４で音声に再生する。
【００８３】
Bluetooth 通信部１１０は、プロセッサ１００の制御により、親機２０１のBluetooth 通信部８２との間で無線による直接通信で接続する無線接続手段であって、例えば、Bluetooth 通信により通信接続を行う。このBluetooth 通信部１１０は、子機２０２が親機２０１から分離されている場合、無線接続を行う。
【００８４】
有線通信部１１２は、プロセッサ１００の制御により、親機２０１に接合した際に有線接続する有線接続手段であって、既述のＵＡＲＴ接続により有線接続を行う。この有線通信部１１２は、親機２０１と端子間接合した場合、既述の有線接続を行う。
【００８５】
接合・分離検出部１１４は、子機２０２側にあって、子機２０２が親機２０１に接合されているか、子機２０２が親機２０１から分離されているかを検出する手段の一例であり、既述の通り、例えば、接合・分離検出デバイスで構成される。この接合又は分離は、例えば、端子間接合の有無を電位によって検出すればよい。親機２０１側と同様に、接合・分離検出部１１４に親機２０１と子機２０２との分離状態が検出された場合、Bluetooth 通信部１１０の無線接続の契機となる。また、接合・分離検出部１１４に親機２０１と子機２０２との接合状態が検出された場合、有線通信部１１２の有線接続の契機となる。
【００８６】
電源スイッチ部１１５は子機２０２の通電開始手段の一例であり、親機２０１側と同様に駆動開始等に用いられる。
【００８７】
次に、セパレート型携帯電話機について、図９、図１０、図１１、図１２、図１３、図１４、図１５及び図１６を参照する。図９は、セパレート型携帯電話機の一例を示す図、図１０は、子機側をスライドさせたセパレート型携帯電話機を示す図、図１１は、子機側をスライドさせて裏面側から見たセパレート型携帯電話機を示す図、図１２は、子機側をスライドさせて側面側から見たセパレート型携帯電話機を示す図、図１３は、分離状態の親機及び子機を示す図、図１４は、分離状態の親機を裏面側から見て示した図、図１５は、子機側のスライド筐体部をスライドさせて上面側から見た子機を示す図、図１６は、子機側のスライド筐体部をスライドさせて側面側から見た子機を示す図である。
【００８８】
セパレート型携帯電話機２０は、図９に示すように、固定筐体部１３０と、スライド筐体部１３２と、可動筐体部１３４とが備えられている。この場合、固定筐体部１３０及びスライド筐体部１３２は子機２０２に用いられ、可動筐体部１３４は親機２０１に用いられている。
【００８９】
固定筐体部１３０には、図１０〜図１３に示すように、スライド筐体部１３２がスライド機構によって固定筐体部１３０の長手方向にスライド可能に設置されている。スライド筐体部１３２には、可動筐体部１３４が着脱機構によって着脱される。従って、可動筐体部１３４がスライド筐体部１３２に設置された場合、スライド筐体部１３２によって固定筐体部１３０の長手方向にスライド可能である。図１０、図１１及び図１２は、可動筐体部１３４がスライド筐体部１３２とともにスライドし、固定筐体部１３０から突出した状態である。この場合、可動筐体部１３４の背面側にはカメラ部１３５が設置され、このカメラ部１３５がスライド筐体部１３２にある窓部１３６から露出している。
【００９０】
また、スライド筐体部１３２を固定筐体部１３０に一致させた際に、図９及び図１３に示すように、固定筐体部１３０と可動筐体部１３４を接合又は分離させることができる。図１４は可動筐体部１３４の背面側を示している。そして、可動筐体部１３４（親機２０１）を固定筐体部１３０から分離させると、固定筐体部１３０の上面はスライド筐体部１３２によって覆われ、また、図１５及び図１６に示すように、固定筐体部１３０からスライド筐体部１３２を長手方向にスライドさせてずらすことができる。
【００９１】
斯かる構成により、セパレート型携帯電話機２０には、着脱かつスライド可能な親機２０１と、子機２０２とが備えられ、親機２０１と子機２０２とが接合された場合、上面側に親機２０１、その下面側に子機２０２が配置される。可動筐体部１３４には表示部７６及びタッチパネル部７８が設置されているとともに、マイクロフォン９６及びレシーバ９８が設置され、側面部には電源スイッチ部８７が配置されている。
【００９２】
固定筐体部１３０には、子機２０２側のキーパッド部１０４が設置されるとともに、マイクロフォン１２２が配置されている。また、スライド筐体部１３２には、キーパッド部１０６が設置されるとともに、レシーバ１２４が配置されている。
【００９３】
接合状態において、図１０に示すように、可動筐体部１３４は、スライド筐体部１３２と協動してスライドし、可動筐体部１３４即ち、親機２０１をスライドさせた場合、子機２０２のキーパッド部１０４が露出し、キー入力操作が可能である。キーパッド部１０４には記号キー１３８、カーソルキー１４０、決定キー１４２、電源スイッチ部１１５として電源キー１４３等が設置されている。
【００９４】
可動筐体部１３４を固定筐体部１３０から分離すると、図１３に示すように、固定筐体部１３０上にスライド筐体部１３２のキーパッド部１０６、レシーバ１２４が露出する。このキーパッド部１０６からキー入力操作を行うことができるとともに、Bluetooth 通信により親機２０１を介在させた子機２０２側での通話が可能である。
【００９５】
そして、固定筐体部１３０には図１３に示すように、有線通信部１１２の接続端子部１４４Ａ、１４４Ｂが設置され、また、可動筐体部１３４には図１４に示すように、有線通信部８４の接続端子部１４６Ａ、１４６Ｂが設置されている。親機２０１と子機２０２とが接合状態にある場合、これら接続端子部１４４Ａ−１４６Ａ、１４４Ｂ−１４６Ｂを介して電気的に接続されるので、この接合状態は接合・分離検出部８６、１１４によって検出される。接続端子部１４４Ａ−１４６Ａ、１４４Ｂ−１４６Ｂは、複数のピンＰＧ１、ＰＧ２、ＰＧ３・・・ＰＧ８で構成されている。
【００９６】
次に、親子機間接点のピンアサインについて、図１７を参照する。図１７は、親子機間接点のピンアサインテーブルの一例を示す図である。
【００９７】
このピンアサインテーブル１５０には、ピン番号欄１５２、親機側機能欄１５４及び子機側機能欄１５６が設定され、データ記憶部９２、１１８に格納されている。
【００９８】
この場合、ピン番号欄１５２には、接続端子部１４４Ａ、１４４Ｂ、１４６Ａ、１４６Ｂを構成するピンに対応し、ピン番号としてＰＧ１、ＰＧ２、ＰＧ３・・・ＰＧ８の８ピン構成の番号が格納されている。この場合、ピンＰＧ１は、親機２０１及び子機２０２とも接地（ＧＮＤ）に割り当てられている。
【００９９】
ピンＰＧ２は、親子機間有線通信に割り当てられ、親機２０１側には送信側を表すＵＡＲＴ−ＴＸ、子機２０２側には受信側を表すＵＡＲＴ−ＲＸが設定されている。ピンＰＧ３は、親子機間有線通信に割り当てられ、親機２０１側には受信側を表すＵＡＲＴ−ＲＸ、子機２０２側には送信側を表すＵＡＲＴ−ＴＸが設定されている。
【０１００】
ピンＰＧ４、ＰＧ５はともに接合検出に割り当てられ、ピンＰＧ４は、親機２０１側には接合検出、子機２０２側には接地（ＧＮＤ）が割り当てられ、また、ピンＰＧ５は、親機２０１側には接地（ＧＮＤ）、子機２０２側には接合検出が割り当てられている。
【０１０１】
ピンＰＧ６、ＰＧ７は割り当てなしであり、ＰＧ８は親機２０１及び子機２０２のそれぞれに電源が割り当てられている。
【０１０２】
次に、この通信制御について、図１８を参照する。図１８は、通信制御の処理手順を示すフローチャートである。
【０１０３】
この処理手順は、通信端末装置の通信制御方法又は通信制御プログラムの一例である。この処理手順には、ユーザ操作から親機２０１と子機２０２とが分離されることを予測し、その予測に基づく通信制御の処理を含んでいる。
【０１０４】
この処理手順は、図１８に示すように、待受け状態（ステップＳ１０１）から親機２０１と子機２０２とが分離状態であるかを判定する（ステップＳ１０２）。待受け状態は、親機２０１と子機２０２がBluetooth 通信による無線接続されていない状態であり、かつ親機２０１と子機２０２が有線接続されている状態である。親機２０１と子機２０２とが分離状態であれば、Bluetooth 通信を確立させる（ステップＳ１０３）。このBluetooth 通信の確立状態において、ユーザ操作が終了したかを判定し（ステップＳ１０４）、ユーザ操作が終了していれば（ステップＳ１０４のＹＥＳ）、Bluetooth 通信による無線接続を切断し（ステップＳ１０５）、待受け状態に移行する（ステップＳ１０６）。
【０１０５】
ステップＳ１０２において、親機２０１と子機２０２とが分離状態でなければ（ステップＳ１０２のＮＯ）、即ち、親機２０１と子機２０２とが接合状態であれば、ユーザ操作があるかを判定する（ステップＳ１０７）。ここで、ユーザ操作とは、電話発信等、ユーザが接合状態にある親機２０１又は子機２０２に対する操作である。ユーザ操作があれば（ステップＳ１０７のＹＥＳ）、Bluetooth 通信を確立させ（ステップＳ１０３）、ユーザ操作がなければ（ステップＳ１０７のＮＯ）、待受け状態に移行する（ステップＳ１０６）。
【０１０６】
そこで、親子機間の接合状態からBluetooth 通信が利用可能状態になるまでの制御について、図１９を参照する。図１９は、通信制御の処理手順を示すフローチャートである。
【０１０７】
この処理手順は、通信端末装置、その通信制御方法及び通信制御プログラムの一例であって、この処理手順では、親機２０１と子機２０２とが接合状態から、ユーザ操作により分離状態への移行を予測してBluetooth 通信部間のプロファイル接続を開始し、確立した当該プロファイル接続を介して無線接続を行う例を説明する。なお、ここでいうプロファイル接続とは、ＨＩＤやＨＦＰの機能を利用した通信を行うためのそれぞれの通信経路（パス）を確立することをいう。
【０１０８】
そこで、この処理手順は、図１９に示すように、親機２０１と子機２０２とが接合中である場合（ステップＳ２０１）、接合されている親機２０１と子機２０２に対するユーザ操作を監視する（ステップＳ２０２）。
【０１０９】
ユーザ操作があれば、親機２０１側のデバイス電源をＯＮにする（ステップＳ２０３）。この通電開始により、親機２０１は制御ソフトウェアを始動させ（ステップＳ２０４）、Bluetooth デバイスではＨＩＤ又はＨＦＰのプロファイル接続を開始する（ステップＳ２０５）。
【０１１０】
子機２０２も同様に子機２０２側のデバイス電源をＯＮにする（ステップＳ２０６）。この通電開始により、子機２０２は制御ソフトウェアを始動させ（ステップＳ２０７）、Bluetooth デバイスではＨＩＤ又はＨＦＰのプロファイル接続を開始する（ステップＳ２０８）。
【０１１１】
そこで、子機２０２はＨＩＤ接続要求を生成し（ステップＳ２０９）、この接続要求を親機２０１に対して通知する（ステップＳ２１０）。この通知を受けた親機２０１は接続受入れを生成し（ステップＳ２１１）、この接続受入れを子機２０２に対して通知する（ステップＳ２１２）。
【０１１２】
また、子機２０２はＨＦＰ接続要求を生成し（ステップＳ２１３）、この接続要求を親機２０１に対して通知する（ステップＳ２１４）。この通知を受けた親機２０１は接続受入れを生成し（ステップＳ２１５）、この接続受入れを子機２０２に対して通知する（ステップＳ２１６）。
【０１１３】
これらの処理を経て、Bluetooth 通信部による無線接続が利用可能状態（プロファイル接続の完了）となる（ステップＳ２１７）。その後、親機２０１と子機２０２とが当該無線接続を介した通信を開始する。例えば、キーボード制御等の入力制御、通話制御、音声制御の対象を、有線通信制御部４６からBluetooth 通信制御部４４に切替える処理を実行することで当該無線接続を介した通信を開始する。なお、プロファイル接続を確立して無線接続を利用可能状態とするステップ（第一ステップ）と当該無線接続を介した通信を開始するステップ（第二ステップ）とは連続して実行してもよいが、２段階に分けて実行してもよい。例えば、特定のユーザ操作の検知があった場合に第一ステップを実行し、その後、親機２０１と子機２０２とが分離されたことを検知した段階で第二ステップを実行するようにしてもよい。
【０１１４】
斯かる構成によれば、接合状態にある親機２０１又は子機２０２の何れか一方又は双方に対するユーザの操作即ち、既述のユーザ操作を監視し、Bluetooth 通信を開始させることができる。即ち、ユーザ操作から、親機２０１と子機２０２とが分離されることを予測し、Bluetooth 通信を開始させることができる。このような予測動作を行うことから、分離した後、ユーザがBluetooth 通信を開始させる場合に比較し、無線接続を迅速化できるとともに、ユーザの意図に沿った動作状態を確立でき、セパレート型携帯電話機２０の利便性を高めることができる。従って、上記通信制御により、ユーザ操作に応じた使い勝手の良いセパレート型携帯電話機２０を実現することができる。
【０１１５】
次に、この第２の実施の形態の利点や特徴事項について列挙する。
【０１１６】
(1) この実施の形態では、親子機の分離予測による親子機間の無線通信を確立させ、分離状態に移行したとき、直ちに無線通信を媒介とする動作に移行することができる。この実施の形態では、親子機間の接合状態を監視し、タッチパネル部７８の入力による親機２０１の表示部７６の表示や、子機２０２のキーパッド情報等によりユーザ操作を検出することにより、親子機間の分離を予測している。この予測に基づき、親子通信制御部４２、５６により、Bluetooth 通信部８２、１１０で親子機間のBluetooth 通信を確立し、無線接続を行っている。
【０１１７】
(2) 電話着信に関連し、親機２０１と子機２０２とを接合して電話着信から親機２０１と子機２０２とを分離した際には、電話着信時、ユーザは通話中に過去の受信メールや送信メール記録やアドレス帳を参照したい場合がある。この場合、親機２０１から子機２０２を分離し、親機２０１側を手に持ち、表示部７６を確認しながら、子機２０２側のマイクロフォン１２２及びレシーバ１２４で通話することが考えられる。そのため、電話着信によるユーザ操作をトリガにし、親子通信制御部４２、５６によってはBluetooth デバイスの電源をＯＮにし、Bluetooth 通信を確立させて無線接続を行う。即ち、既述のＨＩＤ及びＨＦＰの接続を行う。この接続により、通話中にユーザが親機２０１と子機２０２とを分離すると、分離前にBluetooth 通信が確立されているので、通話を中断させることなく、分離後、直ちにキー操作を行うことができる。ユーザは通話中、違和感なく親子機を分離でき、通話以外の機能操作を行うことができる。
【０１１８】
(3) ユーザ操作の監視に関し、即ち、ユーザ操作を検出する仕組みとして、電話着信の他、電話発信等、操作に関連する機能の起動と同時にBluetooth 通信を行ってもよい。そして、上記手順で確立させたBluetooth 通信による無線接続は、親機２０１と子機２０２との接合又は通話等のユーザ操作が終了した場合に無線接続を切断すればよい。
【０１１９】
〔第３の実施の形態〕
【０１２０】
第３の実施の形態は、親機と子機とが分離状態か接合状態かを監視し、通信接続の後、所定時間が経過した場合には、その通信接続を切断する構成である。
【０１２１】
この第３の実施の形態について、図２０を参照する。図２０は、第３の実施の形態に係る通信制御の処理手順を示すフローチャートである。
【０１２２】
この処理手順は、通信端末装置の通信制御方法又は通信制御プログラムの一例である。この処理手順には、親機と子機とが分離状態から接合状態に移行した後、ユーザ操作を監視し、ユーザ操作の終了から所定時間が経過すれば、Bluetooth 通信による無線接続を解除する通信制御の処理を含んでいる。この場合、ユーザ操作の終了から所定時間内にユーザ操作が再開されれば、その終了から所定時間の間、通信接続が維持される。
【０１２３】
この通信制御においては、セパレート型携帯電話機２０では、親機２０１と子機２０２とに分離して使用している場合、親機２０１と子機２０２とはBluetooth 通信によって無線接続される。この状態で親機２０１と子機２０２とを接合した場合にはBluetooth 通信による無線接続は不要となる。しかし、ユーザは分離利用から接合に至ったのであるから、再度分離することが予想されるし、その可能性は高い。そのため、親機２０１と子機２０２とが接合されたことを検出した時点で直ちにBluetooth 通信を切断してしまうと、親機２０１と子機２０２とを分離した際には再度のBluetooth 通信の立ち上げが必要となる。この立ち上げに時間を要することは既述の通りである。そこで、接合時点から直ちにBluetooth 通信を切断せず、予め設定した時間の経過後、Bluetooth 通信のＨＩＤと、ＨＦＰとを切断し、Bluetooth デバイスの電源をＯＦＦすることとしたのである。
【０１２４】
この処理手順においても、第２の実施の形態と同様の構成（図４ないし図１７）及び通信制御（図１８、図１９）が用いられている。
【０１２５】
そこで、この処理手順では、図２０に示すように、親機２０１と子機２０２とを分離して通話状態であるかを監視する（ステップＳ３０１）。分離して通話状態であれば（ステップＳ３０１のＹＥＳ）、親機２０１と子機２０２との分離状態が監視される（ステップＳ３０２）。分離状態でなければ（ステップＳ３０２のＮＯ）、即ち、接合状態であれば、ユーザ操作が再開されたかを判定する（ステップＳ３０３）。ユーザ操作が再開されれば（ステップＳ３０３のＹＥＳ）、ステップＳ３０２に戻り、ユーザ操作の再開でなければ（ステップＳ３０３のＮＯ）、一定の保護時間が経過したかが判定される（ステップＳ３０４）。この保護時間は、例えば、分離状態から接合状態に移行した時点から計時される一定時間であって、Bluetooth 通信による無線接続が維持される時間である。
【０１２６】
そこで、保護時間が経過していない場合には（ステップＳ３０４のＮＯ）、ステップＳ３０２に戻り、保護時間が経過した場合には（ステップＳ３０４のＹＥＳ）、Bluetooth 通信を切断する（ステップＳ３０５）。
【０１２７】
また、親機２０１と子機２０２とを分離して通話状態でなければ（ステップＳ３０１のＮＯ）、この通信制御処理を終了する。
【０１２８】
このように、Bluetooth 通信で無線接続されていた親機２０１と子機２０２とが接合された際に、その接合時点から直ちにはBluetooth 通信は切断されない。この通信切断には、予め設定した時間の経過後、即ち、保護時間の経過後、Bluetooth 通信のＨＩＤと、ＨＦＰとを切断し、Bluetooth デバイスの電源をＯＦＦする。
【０１２９】
斯かる構成では、分離終了に予測による親子通信制御確立の動作に関し、親機２０１と子機２０２との接合情報は接合・分離検出部８６、１１４、親子通信制御部４２、５６から取得することができる。また、ユーザ操作は、親機２０１側の表示部７６や子機２０２のキーパッド情報を親子通信制御部４２、５６を経由して監視され、ユーザ操作の停止が検出される。この検出時点からタイマー部８９を駆動し、所定時間の経過を監視する。予め設定された所定時間である保護時間が経過すれば、タイマー部８９からそのタイムアウト通知を受ける。タッチパネル部７８の入力による親機２０１の表示部７６の表示や、子機２０２のキーパッド情報がない場合は、Bluetooth 通信部８２、１１０による通信接続を切断する。
【０１３０】
このように、分離状態から接合状態に移行しても、直ちに無線接続が遮断されないので、保護時間内であれば、無線接続を伴う所望の操作を直ちに行うことができる。また、ユーザが親子機の接合と分離を繰り返す場合でも、Bluetooth 通信が頻繁に切断されて再接続に時間を要するといった不都合はなく、ユーザ操作の迅速化が図られ、利便性が高められる。
【０１３１】
〔上記実施の形態の特徴事項及び他の実施の形態〕
【０１３２】
(1) 上記実施の形態では、子機２０２以外の外部との無線接続を行う無線通信部を備える親機２０１と、ユーザインタフェース部を搭載した子機２０２とを分離可能としたセパレート型携帯電話機２０について例示したが、本発明は上記構成に限定されない。子機２０２側に無線通信部を備える構成でもよい。
【０１３３】
(2) ユーザが必要とする状況を想定して遅延なく近距離通信による親子機間の無線接続（親子機間通信制御）を行い、不要時には近距離通信の使用を停止して電力消費を低減することができる。上記実施の形態では、近距離通信としてBluetooth 通信手段を例示したが、本発明はBluetooth 通信に限定されない。
【０１３４】
(3) 上記実施の形態では、通話中に親子機を分離する契機として、通話中のメール確認等の要請を例示したが、通話中にカメラ、テレビの各機能を実行する場合にも適用でき、上記実施の形態の例示に限定されない。
【０１３５】
(4) 上記実施の形態では、移動通信網と通信する機能及びＬＣＤディスプレイを持つ無線通信部を親機２０１に搭載し、キーパッドを持つキーパッド部で構成する機能部を子機２０２に搭載しているが、前者の機能を子機２０２側に、後者の機能を親機２０１側に搭載してもよい。
【０１３６】
(5) 上記実施の形態では、分離した際に通話や操作を可能とするため、近距離通信技術である無線ＬＡＮ機能ややBluetooth 通信機能を利用している。Bluetooth 通信では、キーボード制御のためのＨＩＤ、通話制御のためのＨＦＰ等の通信制御方式を規格化している。このBluetooth 通信は、無線ＬＡＮよりも消費電力が小さくて済むという利点があるが、Bluetooth デバイスへ常時電力を供給する電池が消耗することになる。上記実施の形態では、未使用の場合はBluetooth デバイスの電源をＯＦＦにするので、消費電力を低減でき、セパレート型携帯電話機２０の低消費電力化をより高めることができる。
【０１３７】
(6) Bluetooth デバイスを使用する際にはデバイスへの電源投入と、ＨＩＤやＨＦＰといった通信を始める時間が必要になるために、実際にＬＣＤ部とキーパッド部が通信可能となるまでに時間がかかる。接合中から分離した直後から一定時間、おおよそ３秒程度待たないと、分離した機器同士は通信できない。このことは、分離直後には、キーパッド部から通話できないあるいはキー入力ができないことを意味するが、斯かる課題は上記実施の形態によって解決されている。
【０１３８】
(7) 上記実施の形態では、親機と子機とに分離される通信端末装置としてセパレート型携帯電話機２０を例示したが、これに限定されない。例えば、携帯情報端末機（ＰＤＡ：Personal Digital Assistant）４００（図２１）でもよいし、セパレート型電話機５００（図２２）であってもよい。
【０１３９】
ＰＤＡ４００では、図２１に示すように、親機４０１と子機４０２とに分離し、上記実施の形態と同様に構成すれば、既述の通信制御機能を実現することができる。図２１において、上記実施の形態と同一部分には同一符号を付し、その説明を省略する。
【０１４０】
セパレート型電話機５００では、図２２に示すように、親機５０１と子機５０２とに分離し、上記実施の形態と同様に構成すれば、既述の通信制御機能を実現することができる。図２２において、上記実施の形態と同一部分には同一符号を付し、その説明を省略する。この例では、子機５０２に表示部５０４が備えられ、親機５０１側には送受器５０６が備えられている。
【０１４１】
(8) 上記実施の形態では、無線接続を近距離通信接続としてBluetooth 通信を利用しているが、無線接続は、Bluetooth 通信接続に限定されない。他の通信規格や無線媒体を利用してもよい。
【０１４２】
(9) 上記実施の形態では、ユーザ操作が無い場合に所定時間経過後、無線接続を切断しているが（図３）、これに限定されない。例えば、通信制御部８は、状態検出部４の通話イベントの終了検知から所定時間が経過するまで、親機２０１の直接通信部（通信制御部８、Bluetooth 通信部８２）と子機２０２の直接通信部（通信制御部１０、Bluetooth 通信部１１０）との接続を継続させる。即ち、通話イベントの終了検知から所定時間の経過後、親機２０１の直接通信部と子機２０２の直接通信部との接続を切断してもよい。
【０１４３】
以上説明したように、通信端末装置、通信制御方法又は通信制御プログラムの実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１４４】
本開示の通信端末装置、通信制御方法又は通信制御プログラムは、近距離通信により無線接続される親機と子機に分離され、接合状態にある親機又は子機に対するユーザ操作を検出することにより、親子機の分離を予測する。この予測に基づき、無線接続を開始し、利便性を高めることができ、有用である。
【符号の説明】
【０１４５】
２  通信端末装置
４  状態検出部
６  操作検出部
８、１０  通信制御部
２０  セパレート型携帯電話機
２１、２０１  親機
２２、２０２  子機
【図１】
0005407770.tif 000002
【図２】
0005407770.tif 000003
【図３】
0005407770.tif 000004
【図４】
0005407770.tif 000005
【図５】
0005407770.tif 000006
【図６】
0005407770.tif 000007
【図７】
0005407770.tif 000008
【図８】
0005407770.tif 000009
【図９】
0005407770.tif 000010
【図１０】
0005407770.tif 000011
【図１１】
0005407770.tif 000012
【図１２】
0005407770.tif 000013
【図１３】
0005407770.tif 000014
【図１４】
0005407770.tif 000015
【図１５】
0005407770.tif 000016
【図１６】
0005407770.tif 000017
【図１７】
0005407770.tif 000018
【図１８】
0005407770.tif 000019
【図１９】
0005407770.tif 000020
【図２０】
0005407770.tif 000021
【図２１】
0005407770.tif 000022
【図２２】
0005407770.tif 000023